(57)【要約】【課題】  新たなケーブルを追加することなく、ＣＯＮＴ及びＤＥのどちらか一方で両方の電源のオンオフを操作できる、ディスクアレイ装置を提供する。【解決手段】  ＣＯＮＴ２０は、電源２２のオンオフを操作するスイッチ２３と、スイッチ２３による電源２２のオンオフを示す電源制御信号ｂを生成する電源制御部２４と、電源制御部２４で生成された電源制御信号ｂをデータ信号ａに重畳する信号重畳部２５とを備えている。ＤＥ３０は、信号重畳部２５によってデータ信号ａに重畳されデータケーブル１１を介して送信されてきた電源制御信号ｂをデータ信号ａから分離する信号分離部３５と、信号分離部３５によって分離された電源制御信号ｂに同期して電源３２のオンオフを制御する電源制御部３４とを備えている。【選択図】  図１
2008243148.tif 000002
【特許請求の範囲】
【請求項１】
ディスクアレイ制御装置とディスク格納装置とがデータケーブルで接続され、前記データケーブルを介してデータ信号が相互に送受信されるディスクアレイ装置において、
前記ディスクアレイ制御装置及び前記ディスク格納装置の一方を第一の装置とし他方を第二の装置としたとき、
前記第一の装置の電源のオンオフを操作するスイッチと、このスイッチによる前記オンオフを示す電源制御信号を生成する第一の電源制御部と、この第一の電源制御部で生成された前記電源制御信号を前記データ信号に重畳する信号重畳部とが、前記第一の装置に設けられ、
前記信号重畳部によって前記データ信号に重畳され前記データケーブルを介して送信されてきた前記電源制御信号を当該データ信号から分離する信号分離部と、この信号分離部によって分離された前記電源制御信号に同期して前記第二の装置の電源のオンオフを制御する第二の電源制御部とが、前記第二の装置に設けられた、
ことを特徴とするディスクアレイ装置。
【請求項２】
前記第一の装置が前記ディスクアレイ制御装置であり、前記第二の装置がディスク格納装置である、
ことを特徴とする請求項１記載のディスクアレイ装置。
【請求項３】
前記第一の装置がディスク格納装置であり、前記第二の装置が前記ディスクアレイ制御装置である、
ことを特徴とする請求項１記載のディスクアレイ装置。
【請求項４】
前記データ信号が交流信号であり、前記電源制御信号が直流信号である、
ことを特徴とする請求項１乃至３のいずれかに記載のディスクアレイ装置。
【請求項５】
前記第一の装置は、前記データ信号を前記データケーブルを介して送受信する第一のデータ信号送受信部を備え、この第一のデータ信号送受信部及び前記第一の電源制御部と前記データケーブルとの間に前記信号重畳部を設け、
前記第二の装置は、前記データ信号を前記データケーブルを介して送受信する第二のデータ信号送受信部を備え、この第二のデータ信号送受信部及び前記第二の電源制御部と前記データケーブルとの間に前記信号分離部を設けた、
ことを特徴とする請求項４記載のディスクアレイ装置。
【請求項６】
直流信号を抑制し交流信号を通過させる第一及び第二のＡＣカップリングと、交流信号を抑制し直流信号を通過させる第一及び第二のＤＣカップリングとを備え、
前記信号重畳部が前記第一のＡＣカップリング及び前記第一のＤＣカップリングから成り、前記信号分離部が前記第二のＡＣカップリング及び前記第二のＤＣカップリングから成り、
前記データケーブルと前記第一のデータ信号送受信部との間に前記第一のＡＣカップリングが設けられ、前記データケーブルと前記第一の電源制御部との間に前記第一のＤＣカップリングが設けられ、
前記データケーブルと前記第二のデータ信号送受信部との間に前記第二のＡＣカップリングが設けられ、前記データケーブルと前記第二の電源制御部との間に前記第二のＤＣカップリングが設けられた、
ことを特徴とする請求項５記載のディスクアレイ装置。
【請求項７】
前記第一及び第二のＡＣカップリングがハイパスフィルタから成り、前記第一及び第二のＤＣカップリングがローパスフィルタから成る、
ことを特徴とする請求項６記載のディスクアレイ装置。
【発明の詳細な説明】
【技術分野】
【０００１】
本発明は、ディスクアレイ制御装置とディスク格納装置とがデータケーブルで接続され、このデータケーブルを介してデータ信号が相互に送受信される、ディスクアレイ装置に関する。以下、ディスクアレイ制御装置を「ＣＯＮＴ（ディスクコントローラ）」、ディスク格納装置を「ＤＥ（ディスクエンクロージャ）」とそれぞれ略称する。
【背景技術】
【０００２】
図４は、従来のディスクアレイ装置の第一例を示すブロック図である。以下、この図面に基づき説明する。
【０００３】
従来のディスクアレイ装置７０は、ＣＯＮＴ８０とＤＥ９０とがデータケーブル７１で接続されている。ＣＯＮＴ８０は、データ信号送受信部８１、電源８２、手動スイッチ８３等を備えている。ＤＥ９０は、データ信号送受信部９１、電源９２、手動スイッチ９３等を備えている。データ信号送受信部８１，９１間では、データケーブル７１を介してデータ信号が相互に送受信される。
【０００４】
ここで、手動スイッチ８３の接点を閉じると、電源８２がオンとなって、電源８２からデータ信号送受信部８１等へ電力が供給されることにより、ＣＯＮＴ８０の動作が始まる。同様に、手動スイッチ９３の接点を閉じると、電源９２がオンとなって、電源９２からデータ信号送受信部９１等へ電力が供給されることにより、ＤＥ９０の動作が始まる。
【０００５】
また、手動スイッチ８３の接点を開くと、電源８２がオフとなって、電源８２からデータ信号送受信部８１等へ電力が供給されなくなることにより、ＣＯＮＴ８０の動作が終わる。同様に、手動スイッチ９３の接点を開くと、電源９２がオフとなって、電源９２からデータ信号送受信部９１等へ電力が供給されなくなることにより、ＤＥ９０の動作が終わる。
【０００６】
特許文献１には、次のようなディスクアレイ装置が記載されている。従来、基本筺体と増設筺体との間に電源を制御するインタフェースを持たないため、基本筺体の電源をオフしても増設筺体の電源はオンのままになる、又は、増設筺体の電源スイッチを一台ずつ手動でオフする必要がある。そこで、基本筺体と増設筺体の電源を各系列毎に電源供給装置から供給し、専用連動ケーブルを用いて基本筺体と電源供給装置とを連動させて、基本筺体のスイッチをオン／オフすることで、増設筺体の電源スイッチをオン／オフすることなく（増設筺体の電源スイッチはオンの状態のまま）、増設筺体への電源供給を停止／供給することができる。
【０００７】
【特許文献１】特開２００１−３３９８５３号公報
【発明の開示】
【発明が解決しようとする課題】
【０００８】
しかしながら、図４に示す従来のディスクアレイ装置７０では、ＣＯＮＴ８０に電源８２のオンオフを操作する手動スイッチ８３が存在し、ＤＥ９０に電源９２のオンオフを操作する手動スイッチ９３が存在していた。そのため、ＣＯＮＴ８０の手動スイッチ８３の接点を閉じて電源８２をオンにしてもＤＥ９０の電源９２がオンになることはなく、逆にＤＥ９０の手動スイッチ９３の接点を閉じて電源９２をオンにしてもＣＯＮＴ８０の電源８２がオンになることはなかった。したがって、ディスクアレイ装置７０の動作を開始するには、ＣＯＮＴ８０及びＤＥ９０の両方の手動スイッチ８３，９３を忘れずに操作して両方の電源８２，９２をオンにする必要があった。逆に、ディスクアレイ装置７０の動作を終了するには、ＣＯＮＴ８０及びＤＥ９０の両方の手動スイッチ８３，９３を忘れずに操作して両方の電源８２，９２をオフにする必要があった。したがって、従来のディスクアレイ装置７０では、両方の手動スイッチ８３，９３を忘れずに操作しなければならないので、ユーザの操作性に難点があった。例えば、電源８２，９２の一方をオンにし忘れると、いつまで経ってもディスクアレイ装置７０が動作を開始せず、時間を無駄に費やすことになった。電源８２，９２の一方をオフにし忘れると、ディスクアレイ装置７０が通電され続け、電力を無駄に消費することになった。
【０００９】
一方、特許文献１のディスクアレイ装置では、専用連動ケーブルを用いて基本筺体と電源供給装置とを連動させて、基本筺体のスイッチをオン／オフすることで、増設筺体の電源スイッチをオン／オフすることなく、増設筺体への電源供給を停止／供給するようになっている。この特許文献１の技術を図４の従来のディスクアレイ装置に適用し、これを第二例として以下に説明する。
【００１０】
図５は、従来のディスクアレイ装置の第二例を示すブロック図である。以下、この図面に基づき説明する。
【００１１】
従来のディスクアレイ装置１００は、ＣＯＮＴ１１０とＤＥ１２０とがデータケーブル１０１及び専用連動ケーブル１０２で接続されている。ＣＯＮＴ１１０は、データ信号送受信部１１１、電源１１２、手動スイッチ１１３、電源制御部１１４等を備えている。ＤＥ１２０は、データ信号送受信部１２１、電源１２２、電源制御部１２４等を備えている。データ信号送受信部１１１，１２１間では、データケーブル１０１を介してデータ信号が相互に送受信される。電源制御部１１４から電源制御部１２４へは、専用連動ケーブル１０２を介して電源制御信号が送信される。
【００１２】
ここで、手動スイッチ１１３の接点を閉じると、電源１１２がオンとなって、電源１１２から電源制御部１１４及びデータ信号送受信部１１１等へ電力が供給されることにより、ＣＯＮＴ１１０の動作が始まる。すると、電源制御部１１４から専用連動ケーブル１０２を介して電源制御信号が電源制御部１２４へ送信され、これによって電源制御部１２４が電源１２２をオンにする。その結果、電源１２２からデータ信号送受信部１２１等へ電力が供給されることにより、ＤＥ１２０の動作が始まる。
【００１３】
また、手動スイッチ１１３の接点を開くと、電源１１２がオフとなって、電源１１２から電源制御部１１４及びデータ信号送受信部１１１等へ電力が供給されなくなることにより、ＣＯＮＴ１１０の動作が終わる。すると、電源制御部１１４から専用連動ケーブル１０２を介して電源制御信号が電源制御部１２４へ送信されなくなり、これによって電源制御部１２４が電源１２２をオフにする。その結果、電源１２２からデータ信号送受信部１２１等へ電力が供給されなくなることにより、ＤＥ１２０の動作が終わる。
【００１４】
しかしながら、従来のディスクアレイ装置１００では、データケーブル１０１の他に、電源制御用の経路を確立するための専用連動ケーブル１０２が必要となる。専用連動ケーブル１０２は、それ以外にもコネクタ等の付属部品が必要になるとともに、特注品となるので高コストになる。そのため、構成が複雑化することにより、小型化、軽量化及び低コスト化が妨げられる。
【００１５】
そこで、本発明の目的は、新たなケーブルを追加することなく、ＣＯＮＴ及びＤＥのどちらか一方で両方の電源のオンオフを操作できる、ディスクアレイ装置を提供することにある。
【課題を解決するための手段】
【００１６】
本発明に係るディスクアレイ装置は、ＣＯＮＴとＤＥとがデータケーブルで接続され、前記データケーブルを介してデータ信号が相互に送受信されるものである。ここで、前記ＣＯＮＴ及び前記ＤＥの一方を第一の装置とし他方を第二の装置とする。このとき、本発明に係るディスクアレイ装置は、前記第一の装置の電源のオンオフを操作するスイッチと、このスイッチによる前記オンオフを示す電源制御信号を生成する第一の電源制御部と、この第一の電源制御部で生成された前記電源制御信号を前記データ信号に重畳する信号重畳部とが、前記第一の装置に設けられ、前記信号重畳部によって前記データ信号に重畳され前記データケーブルを介して送信されてきた前記電源制御信号を当該データ信号から分離する信号分離部と、この信号分離部によって分離された前記電源制御信号に同期して前記第二の装置の電源のオンオフを制御する第二の電源制御部とが、前記第二の装置に設けられた、ことを特徴とする（請求項１）。
【００１７】
スイッチを操作して第一の装置の電源をオンにすると、オンを示す電源制御信号が第一の電源制御部で生成される。その電源制御信号は、信号重畳部でデータ信号に重畳され、データケーブルを介して第二の装置へ送信される。第二の装置では、データケーブルを介して送信されてきた電源制御信号が、信号分離部でデータ信号から分離される。そして、第二の電源制御部が、この分離された電源制御信号に同期して第二の装置の電源をオンにする。一方、スイッチを操作して第一の装置の電源をオフにすると、オフを示す電源制御信号が第一の電源制御部で生成される。その電源制御信号は、信号重畳部でデータ信号に重畳され、データケーブルを介して第二の装置へ送信される。第二の装置では、データケーブルを介して送信されてきた電源制御信号が、信号分離部でデータ信号から分離される。そして、第二の電源制御部が、この分離された電源制御信号に同期して第二の装置の電源をオフにする。このように、送信側の電源のオンオフを操作して電源制御信号をデータ信号に重畳し、これをデータケーブルを介して送信し、受信側で電源制御信号をデータ信号から分離して電源をオンオフすることにより、新たなケーブルを追加することなく、ＣＯＮＴ及びＤＥのどちらか一方で両方の電源のオンオフを操作できる。
【００１８】
ここで、前記第一の装置が前記ＣＯＮＴであり、前記第二の装置がＤＥである、としてもよい（請求項２）。これとは逆に、前記第一の装置がＤＥであり、前記第二の装置が前記ＣＯＮＴである、としてもよい（請求項３）。
【００１９】
また、前記データ信号が交流信号であり、前記電源制御信号が直流信号である、としてもよい（請求項４）。これらは、交流と直流という電気的な差異が大きいもの同士であるので、重畳及び分離が容易である。
【００２０】
このとき、前記第一の装置は、前記データ信号を前記データケーブルを介して送受信する第一のデータ信号送受信部を備え、この第一のデータ信号送受信部及び前記第一の電源制御部と前記データケーブルとの間に前記信号重畳部を設け、前記第二の装置は、前記データ信号を前記データケーブルを介して送受信する第二のデータ信号送受信部を備え、この第二のデータ信号送受信部及び前記第二の電源制御部と前記データケーブルとの間に前記信号分離部を設けた、としてもよい（請求項５）。これは、信号重畳部及び信号分離部の具体的な配置例である。
【００２１】
更に具体的には、直流信号を抑制し交流信号を通過させる第一及び第二のＡＣカップリングと、交流信号を抑制し直流信号を通過させる第一及び第二のＤＣカップリングとを備え、前記信号重畳部が前記第一のＡＣカップリング及び前記第一のＤＣカップリングから成り、前記信号分離部が前記第二のＡＣカップリング及び前記第二のＤＣカップリングから成り、前記データケーブルと前記第一のデータ信号送受信部との間に前記第一のＡＣカップリングが設けられ、前記データケーブルと前記第一の電源制御部との間に前記第一のＤＣカップリングが設けられ、前記データケーブルと前記第二のデータ信号送受信部との間に前記第二のＡＣカップリングが設けられ、前記データケーブルと前記第二の電源制御部との間に前記第二のＤＣカップリングが設けられた、としてもよい（請求項６）。これは、信号重畳部及び信号分離部の具体的な構成例である。
【００２２】
このとき、前記第一及び第二のＡＣカップリングがハイパスフィルタから成り、前記第一及び第二のＤＣカップリングがローパスフィルタから成る、としてもよい（請求項７）。
【００２３】
換言すると、本発明は、ＣＯＮＴとＤＥとの間で電源制御信号をデータ信号に重ねて送信することにより、電源制御信号のパスを新たに構築することなく、受信側の電源を制御するディスクアレイ装置である。本発明によれば、既存の装置間接続ケーブルを用いてＤＥ（又はＣＯＮＴ）の電源をＣＯＮＴ（又はＤＥ）の電源に連動させオン／オフを行うことが可能となる。また、電源制御信号をコマンドではなく電圧レベルで実現することにより、コマンドを実行するための素子（例えばＣＰＵやメモリ）の動作を必要とすることなく、電源制御信号の受信回路を待機電力以下で動作させることが可能となる。このように、ＣＯＮＴとＤＥとの間で電源制御信号のパスを構築することなく、既存の装置間接続ケーブルを用いて電源制御信号の送受信を行うことで、ＣＯＮＴ及びＤＥの一方で他方の電源制御を可能にし、片方の電源の入れ忘れ及び切り忘れを防止する。
【００２４】
本発明の第一の効果は、既存の装置間接続ケーブルを用いて、ＣＯＮＴ及びＤＥの一方から他方の電源を制御できることである。その理由は、電源制御信号をデータ信号と合成して送信するからである。第二の効果は、ユーザ先でのＣＯＮＴ及びＤＥの片方の電源の入れ忘れ及び切り忘れのミスがなくなることである。その理由は、ＣＯＮＴ（又はＤＥ）の電源にＤＥ（又はＣＯＮＴ）の電源を連動させてオン／オフするためである。第三の効果は、電源制御信号の受信回路を待機電力以下で動作できることである。その理由は、電源制御信号をコマンドではなく電圧レベルで実現することにより、コマンドを実行するための素子（例えばＣＰＵやメモリ）動作を必要としないためである。
【発明の効果】
【００２５】
本発明によれば、送信側の電源のオンオフを操作して電源制御信号をデータ信号に重畳し、これをデータケーブルを介して送信し、受信側で電源制御信号をデータ信号から分離して電源をオンオフすることにより、新たなケーブルを追加することなく、ＣＯＮＴ及びＤＥのどちらか一方で両方の電源のオンオフを操作できる。
【発明を実施するための最良の形態】
【００２６】
図１は、本発明に係るディスクアレイ装置の第一実施形態を示すブロック図である。以下、この図面に基づき説明する。
【００２７】
本実施形態のディスクアレイ装置１０は、ＣＯＮＴ２０とＤＥ３０とがデータケーブル１１で接続され、データケーブル１１を介してデータ信号ａが相互に送受信されるものである。ＣＯＮＴ２０は、データ信号ａをデータケーブル１１を介して送受信するデータ信号送受信部２１と、ＣＯＮＴ２０内に電力を供給する電源２２と、電源２２のオンオフを操作するスイッチ２３と、スイッチ２３による電源２２のオンオフを示す電源制御信号ｂを生成する電源制御部２４と、電源制御部２４で生成された電源制御信号ｂをデータ信号ａに重畳する信号重畳部２５とを備えている。ＤＥ３０は、データ信号ａをデータケーブル１１を介して送受信するデータ信号送受信部３１と、ＤＥ３０内に電力を供給する電源３２と、信号重畳部２５によってデータ信号ａに重畳されデータケーブル１１を介して送信されてきた電源制御信号ｂをデータ信号ａから分離する信号分離部３５と、信号分離部３５によって分離された電源制御信号ｂに同期して電源３２のオンオフを制御する電源制御部３４とを備えている。
【００２８】
信号重畳部２５は、データ信号送受信部２１及び電源制御部２４とデータケーブル１１との間に設けられている。信号分離部３５は、データ信号送受信部３１及び電源制御部３４とデータケーブル１１との間に設けられている。また、データ信号ａは交流信号であり、電源制御信号ｂは直流信号である。これらは、交流と直流という電気的な差異が大きいもの同士であるので、重畳及び分離が容易である。
【００２９】
次に、ディスクアレイ装置１０の動作について説明する。
【００３０】
まず、スイッチ２３を操作してＣＯＮＴ２０の電源２２をオンにすると、オンを示す電源制御信号ｂが電源制御部２４で生成される。その電源制御信号ｂは、信号重畳部２５でデータ信号ａに重畳され、データケーブル１１を介してＤＥ３０へ送信される。ＤＥ３０では、データケーブル１１を介して送信されてきた電源制御信号ｂが、信号分離部３５でデータ信号ａから分離される。そして、電源制御部３４が、この分離された電源制御信号ｂに同期してＤＥ３０の電源３２をオンにする。
【００３１】
一方、スイッチ２３を操作してＣＯＮＴ２０の電源２２をオフにすると、オフを示す電源制御信号ｂが電源制御部２４で生成される。その電源制御信号ｂは、信号重畳部２５でデータ信号ａに重畳され、データケーブル１１を介してＤＥ３０へ送信される。ＤＥ３０では、データケーブル１１を介して送信されてきた電源制御信号ｂが、信号分離部３５でデータ信号ａから分離される。そして、電源制御部３４が、この分離された電源制御信号ｂに同期してＤＥ３０の電源３２をオフにする。
【００３２】
このように、ＣＯＮＴ２０側の電源２２のオンオフを操作して電源制御信号ｂをデータ信号ａに重畳し、これをデータケーブル１１を介して送信し、ＤＥ３０側で電源制御信号ｂをデータ信号ａから分離して電源３２をオンオフすることにより、新たなケーブルを追加することなく、ＣＯＮＴ２０側で両方の電源２２，２３のオンオフを操作できる。
【００３３】
図２は、図１のディスクアレイ装置の詳細な構成の一例を示す回路図である。以下、図１及び図２に基づき説明する。
【００３４】
信号重畳部２５は、ＡＣカップリング２６及びＤＣカップリング２７から成る。ＡＣカップリング２６は、データケーブル１１とデータ信号送受信部２１との間に設けられ、ＤＣカップリング２７はデータケーブル１１と電源制御部２４との間に設けられている。信号分離部３５は、ＡＣカップリング３６及びＤＣカップリング３７から成る。ＡＣカップリング３６は、データケーブル１１とデータ信号送受信部３１との間に設けられ、ＤＣカップリング３７はデータケーブル１１と電源制御部３４との間に設けられている。ＡＣカップリング２６，３６は直流信号を抑制し交流信号を通過させ、逆にＤＣカップリング２７，３７は交流信号を抑制し直流信号を通過させる。
【００３５】
ＡＣカップリング２６は、例えばコンデンサ２６１，２６２及び抵抗器２６３から成るハイパスフィルタである。ＡＣカップリング３６は、例えばコンデンサ３６１，３６２及び抵抗器３６３から成るハイパスフィルタである。ＤＣカップリング２７は、例えば、チョークコイルなどのインダクタ２７１と、インダクタ２７１に直列接続された電流制限用の抵抗器２７２とから成るローパスフィルタである。ＤＣカップリング３７は、例えば、チョークコイルなどのインダクタ３７１と、インダクタ３７１に直列接続された電流制限用の抵抗器３７２とから成るローパスフィルタである。
【００３６】
ＣＯＮＴ２０側の電源２２は、例えば直流安定化電源であり、ＤＣ１２Ｖを出力する。スイッチ２３は手動式である。スイッチ２３の接点を閉じると、例えば商用電源から電源２２に電力が供給されることにより、電源２２がオンとなる。スイッチ２３の接点を開くと、例えば商用電源から電源２２に電力が供給されなくなることにより、電源２２がオフとなる。
【００３７】
電源制御部２４は、例えば三端子レギュレータ２４１及び外付けのコンデンサ２４２，２４３から成り、電源２２から出力されたＤＣ１２ＶをＤＣ５Ｖに変換する。したがって、電源２２のオンを示す電源制御信号ｂはＤＣ５Ｖであり、電源２２のオフを示す電源制御信号ｂは０Ｖである。なお、電源２２の出力電圧をそのまま電源制御信号ｂとして使用してもよく、その場合の電源制御部２４は単なる導線でよい。
【００３８】
ＤＥ３０側の電源３２は、例えば直流安定化電源であり、ＤＣ１２Ｖを出力する。電源制御部３４は、例えばコイル３４１、常開接点３４２及び保護用ダイオード３４３から成る電磁リレーであり、コイル３４１に印加される電圧がＤＣ５Ｖのときに常開接点３４２を閉じ、コイル３４１印加される電圧が０Ｖのときに常開接点３４２を開く。常開接点３４２が閉じると、例えば商用電源から電源３２に電力が供給されることにより、電源３２がオンとなる。常開接点３４２が開くと、例えば商用電源から電源３２に電力が供給されなくなることにより、電源３２がオフとなる。なお、電源制御部３４は電磁リレーの代わりに又は電磁リレーとともにトランジスタ等のスイッチング素子を用いて構成してもよく、その場合は待機電力のみで動作させることが可能となる。
【００３９】
データ信号ａは、ＬＶＤＳ（low voltage differential signaling）やＬＶ−ＥＬＣ（low voltage-emitter
coupled logic）による差動データである。データ信号送受信部２１，３１及びデータケーブル１１は、よく知られた一般的なものであるので、その説明を省略する。
【００４０】
次に、図２に基づき、ディスクアレイ装置１０の構成についてもう一度説明する。
【００４１】
ディスクアレイ装置１０はＣＯＮＴ２０とＤＥ３０の二つに大別される。ＣＯＮＴ２０とＤＥ３０との間は、データ信号ａを伝播するデータケーブル１１にて接続されている。ＣＯＮＴ２０には、ＣＯＮＴ２０の電源２２のオンオフを操作する手動式のスイッチ２３が取り付けられている。電源制御部２４は、スイッチ２３による電源２２のオンオフの変化を検知して、ＤＥ３０の電源３２のオンオフを指示する電源制御信号ｂを出力する。その電源制御信号ｂは、ＤＣカップリング２７を通過する。ＤＣカップリング２７は、入力信号に対しＡＣ成分をカットしＤＣ成分の出力信号とする。一方、データ信号送受信部２１は、ＤＥ３０に対し差動データから成るデータ信号ａを送信する。そのデータ信号ａは、ＡＣカップリング２６を通過する。ＡＣカップリング２６は、入力信号に対しＤＣ成分をカットしＡＣ成分の出力信号とする。
【００４２】
ＤＥ３０には、ＣＯＮＴ２０から伝播された合成信号ａ＋ｂから、ＤＣ成分を抽出するＤＣカップリング３７とＡＣ成分を抽出するＡＣカップリング３６とが存在する。また、電源制御部３４は、ＣＯＮＴ２０からの電源制御信号ｂを受信し、その電圧レベルに基づきＤＥ３０の電源３２のオン／オフを制御する。なお、電源制御部３４は、電圧レベルの検出をコマンドではなく素子レベルで行える。データ信号送受信部３１は、ＣＯＮＴ２０からのデータ信号ａを受信する。
【００４３】
次に、図２に基づき、ディスクアレイ装置１０の動作についてもう一度説明する。
【００４４】
ＣＯＮＴ２０においてスイッチ２３が操作されて電源２２がオンになると、電源２２からＣＯＮＴ２０全体へ電力が供給される。これにより、電源制御部１０は、ＤＥ３０の電源３２をオンにする電源制御信号ｂを出力する。電源３２をオンにするかオフにするかは、電源制御信号ｂの電圧レベルで示される。つまり、オンがＨレベルであり、オフがＬレベルである。その電源制御信号ｂは、ＤＣカップリング２７においてＡＣ成分を除去されＤＣ成分となる。
【００４５】
一方、ＣＯＮＴ２０の電源２２が投入された後に、データ信号送受信部２１はデータ信号ａ（アイドルパターンデータ）をＤＥ３０へ送信する。そのデータ信号ａは、ＡＣカップリング２６においてＤＣ成分を除去されＡＣ成分となる。ＤＣ成分となった電源制御信号ｂとＡＣ成分となったデータ信号ａとは、ＣＯＮＴ２０からＤＥ３０へのデータケーブル１１上で一体となり、電源制御信号ｂを意味するＤＣ成分とデータ信号ａを意味するＡＣ成分との合成信号ａ＋ｂとなる。合成信号ａ＋ｂは、差動ＡＣ成分にＤＣレベルバイアスがかかった状態となって、データケーブル１１を伝送し、ＤＥ３０に至る。
【００４６】
ＤＥ３０に至った合成信号ａ＋ｂは、ＤＣカップリング３７及びＡＣカップリング３６において、それぞれ成分分離が行われる。つまり、合成信号ａ＋ｂはＡＣカップリング３６によってＡＣ成分すなわちデータ信号ａが抽出され、データ信号ａはデータ信号送受信部３１へ出力される。また、合成信号ａ＋ｂはＤＣカップリング３７によってＤＣ成分すなわち電源制御信号ｂが抽出され、その電源制御信号ｂは電源制御部３４へ出力される。電源制御部３４は、入力した電源制御信号ｂの電圧レベルによって、電源３２をオンにする。これにより、電源３２からＤＥ３０全体へ電力が供給される。
【００４７】
なお、電源２２をオフにしたときは、電源制御信号ｂがＬレベルになり、上記の動作に従って電源３２もオフになる。
【００４８】
次に、本実施形態のディスクアレイ装置１０について総括する。本実施形態は、ＣＯＮＴ２０とＤＥ３０との間で電源制御信号ｂをデータ信号ａに重ねて送信することにより、電源制御信号ｂのパスを新たに構築することなく、受信側の電源３２を制御するディスクアレイ装置１０である。本実施形態によれば、既存のデータケーブル１１を用いてＤＥ３０の電源３２をＣＯＮＴ２０の電源２２に連動させオンオフを行うことが可能となる。また、電源制御信号ｂをコマンドではなく電圧レベルで実現することにより、コマンドを実行するための素子（例えばＣＰＵやメモリ）の動作を必要とすることなく、電源制御信号ｂの受信側の待機電力以下で動作させることが可能となる。このように、ＣＯＮＴ２０とＤＥ３０との間で電源制御信号ｂのパスを構築することなく、既存のデータケーブル１１を用いて電源制御信号ｂの送受信を行うことで、ＣＯＮＴ２０においてＤＥ３０の電源３２を制御でき、電源３２の入れ忘れ及び切り忘れを防止する。
【００４９】
本実施形態の第一の効果は、既存のデータケーブル１１を用いて、ＣＯＮＴ２０からＤＥ３０の電源３２を制御できることである。その理由は、電源制御信号ｂをデータ信号ａと合成して送信するからである。第二の効果は、ユーザ先でのＤＥ３０の電源３２の入れ忘れ及び切り忘れのミスがなくなることである。その理由は、ＣＯＮＴ２０の電源２２にＤＥ３０の電源３２を連動させてオンオフするためである。第三の効果は、電源制御信号ｂの受信側を待機電力以下で動作させることができることである。その理由は、電源制御信号ｂをコマンドではなく電圧レベルで実現することにより、コマンドを実行するための素子（例えばＣＰＵやメモリ）動作を必要としないためである。
【００５０】
図３は、本発明に係るディスクアレイ装置の第二実施形態を示すブロック図である。以下、この図面に基づき説明する。
【００５１】
第一実施形態がＣＯＮＴ側の電源をオンオフすることによりＤＥ側の電源をオンオフするのに対し、本実施形態ではその逆にＤＥ側の電源をオンオフすることによりＣＯＮＴ側の電源をオンオフする。すなわち、本実施形態のディスクアレイ装置４０は、ＣＯＮＴ５０とＤＥ６０とがデータケーブル４１で接続され、データケーブル４１を介してデータ信号ａが相互に送受信されるものである。ＤＥ６０は、データ信号ａをデータケーブル４１を介して送受信するデータ信号送受信部６１と、ＤＥ６０内に電力を供給する電源６２と、電源６２のオンオフを操作するスイッチ６３と、スイッチ６３による電源６２のオンオフを示す電源制御信号ｂを生成する電源制御部６４と、電源制御部６４で生成された電源制御信号ｂをデータ信号ａに重畳する信号重畳部６５とを備えている。ＣＯＮＴ５０は、データ信号ａをデータケーブル４１を介して送受信するデータ信号送受信部５１と、ＣＯＮＴ５０内に電力を供給する電源５２と、信号重畳部６５によってデータ信号ａに重畳されデータケーブル４１を介して送信されてきた電源制御信号ｂをデータ信号ａから分離する信号分離部５５と、信号分離部５５によって分離された電源制御信号ｂに同期して電源５２のオンオフを制御する電源制御部５４とを備えている。
【００５２】
信号重畳部６５は、データ信号送受信部６１及び電源制御部６４とデータケーブル４１との間に設けられている。信号分離部５５は、データ信号送受信部５１及び電源制御部５４とデータケーブル４１との間に設けられている。また、データ信号ａは交流信号であり、電源制御信号ｂは直流信号である。これらは、交流と直流という電気的な差異が大きいもの同士であるので、重畳及び分離が容易である。
【００５３】
次に、ディスクアレイ装置４０の動作について説明する。
【００５４】
まず、スイッチ６３を操作してＤＥ６０の電源６２をオンにすると、オンを示す電源制御信号ｂが電源制御部６４で生成される。その電源制御信号ｂは、信号重畳部６５でデータ信号ａに重畳され、データケーブル４１を介してＣＯＮＴ５０へ送信される。ＣＯＮＴ５０では、データケーブル４１を介して送信されてきた電源制御信号ｂが、信号分離部５５でデータ信号ａから分離される。そして、電源制御部５４が、この分離された電源制御信号ｂに同期してＣＯＮＴ５０の電源５２をオンにする。
【００５５】
一方、スイッチ６３を操作してＤＥ６０の電源６２をオフにすると、オフを示す電源制御信号ｂが電源制御部６４で生成される。その電源制御信号ｂは、信号重畳部６５でデータ信号ａに重畳され、データケーブル４１を介してＣＯＮＴ５０へ送信される。ＣＯＮＴ５０では、データケーブル４１を介して送信されてきた電源制御信号ｂが、信号分離部５５でデータ信号ａから分離される。そして、電源制御部５４が、この分離された電源制御信号ｂに同期してＣＯＮＴ５０の電源５２をオフにする。
【００５６】
このように、ＤＥ６０側の電源６２のオンオフを操作して電源制御信号ｂをデータ信号ａに重畳し、これをデータケーブル４１を介して送信し、ＣＯＮＴ５０側で電源制御信号ｂをデータ信号ａから分離して電源５２をオンオフすることにより、新たなケーブルを追加することなく、ＤＥ６０側で両方の電源５２，６２のオンオフを操作できる。
【００５７】
なお、ディスクアレイ装置４０の詳細な構成については、図２の構成に準ずるので、その説明を省略する。
【図面の簡単な説明】
【００５８】
【図１】本発明に係るディスクアレイ装置の第一実施形態を示すブロック図である。
【図２】図１のディスクアレイ装置の詳細な構成の一例を示す回路図である。
【図３】本発明に係るディスクアレイ装置の第二実施形態を示すブロック図である。
【図４】従来のディスクアレイ装置の第一例を示すブロック図である。
【図５】従来のディスクアレイ装置の第二例を示すブロック図である。
【符号の説明】
【００５９】
１０，４０  ディスクアレイ装置
１１，４１  データケーブル
２０，５０  ＣＯＮＴ（ディスクアレイ制御装置）
２１，３１，５１，６１  データ信号送受信部
２２，３２，５２，６２  電源
２３，６３  スイッチ
２４，３４，５４，６４  電源制御部
２５，６５  信号重畳部
２６，３６  ＡＣカップリング
２７，３７  ＤＣカップリング
３０，６０  ＤＥ（ディスク格納装置）
３５，５５  信号分離部
ａ  データ信号
ｂ  電源制御信号
【図１】
2008243148.tif 000003
【図２】
2008243148.tif 000004
【図３】
2008243148.tif 000005
【図４】
2008243148.tif 000006
【図５】
2008243148.tif 000007